(57)【要約】  【課題】中央役物の拡大化を阻害することなく遊技機の裏面側スペースを最大限に有効利用することができ、遊技者の興趣を高めることができる遊技機を提供する。  【解決手段】所定の厚みを有する上下左右側枠体２６（２７〜２９）により方形枠状に形成される外枠１と、前記外枠１の前面に装着される中枠２と、電気機器を制御する制御基板４８（４９〜５１）及び電源基板５２等の電気基板とを備えた遊技機であって、前記上下左右側枠体２６（２７〜２９）の少なくともいずれかの枠体に前記電気基板を収納し得る収容空間部３８を形成した。  【選択図】    図５
2007159953.tif 000002
【特許請求の範囲】
【請求項１】
所定の厚みを有する上下左右側枠体により方形枠状に形成される外枠と、前記外枠の前面に装着される中枠と、電気機器を制御する制御基板及び電源基板等の電気基板とを備えた遊技機であって、
前記上下左右側枠体の少なくともいずれかの枠体に前記電気基板を収納し得る収容空間部を形成したことを特徴とする遊技機。
【請求項２】
前記収容空間部に仕切部材を設け、前記電気基板を個々に収納する収納室を複数形成したことを特徴とする請求項１記載の遊技機。
【請求項３】
前記収容空間部を構成する枠体の少なくとも一側は前記電気基板が視認可能なカバー体で構成されることを特徴とする請求項１又は２記載の遊技機。
【請求項４】
前記収容空間部を構成する枠体の内側面に前記電気基板と電気的に接続する回路手段を設けたこと特徴とする請求項１乃至３のいずれかに記載の遊技機。
【請求項５】
前記回路手段に前記電気基板の差込により接続される配線コネクタが設けられていることを特徴とする請求項４記載の遊技機。
【発明の詳細な説明】
【技術分野】
【０００１】
本発明は遊技機に関し、特に遊技において各種遊技部品を電気的に制御する制御基板等の電気基板を備えた遊技機に関する。
【背景技術】
【０００２】
遊技機として例えば遊技媒体に遊技球を使用するパチンコ遊技機は、遊技盤を備えた中枠が外枠に開閉自在に設けられると共に中枠の前面に遊技盤を視認し得る開口窓にガラス板を装着したガラス扉枠が蝶着され、中枠の裏面には球タンク，球払出装置等の機構部品を備えた機構板が装着されている。そして、遊技盤の遊技領域には液晶表示器等の中央役物，入賞口が配置されると共に遊技球の流下方向を変化させる障碍釘が打設され、入賞口への入賞により球払出装置から賞球が払出されるようになっている。そして、近年では遊技の趣向性を高めるために中央役物を大型化したパチンコ遊技機が提案されている（例えば、特許文献１参照。）。
【０００３】
また、近年のパチンコ遊技機はほとんどが多くの電気部品を備えて電気的に制御されており、遊技機の裏側には、電気部品を制御する主制御基板，払出制御基板，音声制御基板，ランプ制御基板，発射制御基板等の各種基板を基板ケースに収容した複数の制御装置が配設されている（例えば、特許文献２参照。）。
【０００４】
【特許文献１】特開２００１−２０４９０８号公報
【特許文献２】特開２００３−２７５４４０号公報（第４頁、図１２）
【発明の開示】
【発明が解決しようとする課題】
【０００５】
しかしながら、中央役物の大型化に伴い遊技内容が複雑となり、制御基板も大型化すると共にその種類についても増加して遊技機裏側のスペースが制限され、制御基板の設置スペースを確保することができなくなってきた。そこで、限られた設置スペースに制御基板を設けるために制御基板を重ねて設けたりすると嵩張り、しかも基板に不正が行われても容易に見破ることができないという問題があった。
【０００６】
本発明はこのような従来技術の問題点を解消する遊技機を提供するものであって、その目的は、中央役物の拡大化を阻害することなく遊技機の裏面側スペースを最大限に有効利用することができ、遊技者の興趣を高めることができる遊技機を提供することにある。
【課題を解決するための手段】
【０００７】
本発明の請求項１の発明は、所定の厚みを有する上下左右側枠体により方形枠状に形成される外枠と、前記外枠の前面に装着される中枠と、電気機器を制御する制御基板及び電源基板等の電気基板とを備えた遊技機であって、前記上下左右側枠体の少なくともいずれかの枠体に前記電気基板を収納し得る収容空間部を形成したことを特徴とする。収容空間部に収納する電気基板の数は限定されるものではなく少なくとも１つの電気基板を収納し得るようにすればよい。
【０００８】
ここでいう「電気基板」とは、電気の配線，回路を備えた基板を意味し、ＣＰＵ，ＲＯＭ，ＲＷＭ（ＲＡＭ）等が実装され遊技動作，効果音，電飾，遊技媒体の払出し等を制御する制御基板及び各種制御基板等で要する所定の電源電圧が生成され出力される電源基板のほかに、電気部品への信号配線を中継する中継基板，遊技情報を外部に出力する端子基板等も含まれる。また、「電気機器」とは、通電することにより機能を果たすものであり、例えば遊技を司る表示装置，ソレノイド・モータ等の電気的駆動源を使用した役物，音声を発するスピーカ，ランプ等の光源，遊技球を払出す球払出装置，電気的に遊技球を発射する発射装置等である。
【０００９】
請求項２記載の発明は、請求項１記載の発明において、前記収容空間部に仕切部材を設け、前記電気基板を個々に収納する収納室を複数形成したことを特徴とする。ここでいう「仕切部材」とは、電気基板を個々に収納する収納室を区画する部材であり、形状に限定されるものではなく連続する壁状のものであっても、基板を離間させる突起状のものであってもよい。
【００１０】
請求項３記載の発明は、請求項１又は２記載の発明において、前記収容空間部を構成する枠体の少なくとも一側は前記電気基板が視認可能な透明カバー体で構成されることを特徴とする
【００１１】
請求項４記載の発明は、請求項１乃至３のいずれかに記載の発明において、前記収容空間部を構成する枠体の内側面に前記電気基板と電気的に接続する回路手段を設けたこと特徴とする。回路手段は例えばプリント配線である。
【００１２】
請求項５記載の発明は、請求項４記載の発明において、前記回路手段に前記電気基板の差込により接続される配線コネクタが設けられていることを特徴とする。これにより、電気基板を差し込むという簡単な作業で電気的に接続することができる。
【００１３】
前記電気基板は保護ケースに収納されると共に配線の接続部となる基板の一部をケースから突出させるのが好ましい。そして、外枠に対して中枠を開放した状態において接続部が視認可能とするのがよい。
【００１４】
前記収容空間部に冷却手段を設けるのが好ましく、冷却手段は例えば放熱する通気孔であり、モータにより回転し強制的に空間部の空気を循環させるファンである。複数の収納室を設けた場合には隣設する収納室と連通する通気孔を設けるのが好ましく、効率よく冷却するのがよい。
【００１５】
また、前記上枠体に遊技球を所定量貯留する収容空間部を形成すると共に遊技球を整流して払出手段に供給する整流路を設けるのが好ましく、遊技盤裏面上方部をすっきりさせることができ、中央役物等の上方への拡大化に対応することができる。さらに、前記遊技球を貯留する収容空間部に連通して補給経路から遊技球を補給する補給管を接続する接続口を設けるのがよい。
【００１６】
また、前記上枠体に遊技球を所定量貯留する収容空間部を形成し、前記左右側枠体の少なくとも一方に前記収容空間部と連通する供給通路樋を設けると共に該供給通路樋の下方に遊技球を払出す払出手段を設けるようにしてもよい。この構成により、遊技盤の裏面上方及び横方向もすっきりさせることができ、中央役物等の上方及び横方への拡大化に対応することができる。
【００１７】
中枠に払出手段及び該払出手段から払出された遊技球を受皿に導く誘導樋を設け、一方側枠に払出手段から払出された遊技球を中枠に導く導出口を設け、中枠の閉鎖時に導出口と誘導樋が連通する連通部に中枠の開放時の球零れを防止する球零れ防止手段を設けるのが好ましい。
【発明の効果】
【００１８】
本発明は、外枠を構成する側枠体に制御基板等の各種電気基板を収納する収容空間部を設けたことにより、側枠体内に電気基板を収納することができるため、中枠の後面側をすっきりさせることができる。このため、遊技盤の裏側でのスペース効率の向上を図ることが可能になり、中央役物を大型化させることができ、延いては遊技者の興趣を高める遊技機を提供することができる。
【発明を実施するための最良の形態】
【００１９】
本発明の遊技機としてパチンコ球を遊技媒体とするパチンコ遊技機について図面を参照して説明する。図１はパチンコ遊技機の正面図、図２はパチンコ遊技機の裏面図である。パチンコ遊技機は、外枠１の前面に遊技盤４を備えた中枠２がヒンジ機構３を介して水平方向へ片開き自在に蝶着され、その前面に遊技盤４が視認できる開口窓６５を開設した前面扉５が正面左側を枢支して開閉自在に設けられている。中枠２及び前面扉５は開放端が施錠機構６により施錠され、施錠機構６の解錠操作により中枠２及び前面扉５が開放されるように構成されている。前面扉５の下部には遊技球が貯留される供給皿を備えた上受皿７が飾り板を介して開閉自在に設けられ、その上受皿７の下部には上受皿７の余剰球が貯留される貯留皿と灰皿を備えた下受皿９が設けられている。また、下受皿９の右側方には打力を調整する発射ハンドル１０が設けられ、遊技者による発射ハンドル１０の操作量に応じた速度で打球が発射されるように制御の中枢をなすＣＰＵやその他ＲＯＭ，ＲＷＭ（ＲＡＭ），各種ポート等を備えた発射制御基板４９によって発射モータの制御が行われる。
【００２０】
遊技盤４は、ガイドレール２０によって遊技領域４ａが略円形に形成され、この遊技領域４ａのほぼ中央に図柄，数字を変動表示する表示部を備えた中央役物としての可変表示装置２１が設けられている。また、他の遊技領域４ａには始動入賞口２２，可変入賞装置２３，一般入賞口２４等の盤面部品が設けられ、遊技領域４ａの最下方には入賞口に入賞しなかった遊技球が流入するアウト球口２５が穿設されている。また、遊技盤４の裏面には透光性を有するカバー部材９６が遊技盤４の裏面を覆うように設けられ、カバー部材９６の内面に遊技全般を制御する主制御基板７５及び可変表示装置２１の図柄表示等を変動制御する演出制御基板７６が実装面を視認し得るように設けられている。主制御基板７５は遊技全般を制御する主制御手段及び遊技に関する情報を記憶する記憶手段を備えており、具体的には主たる制御を司るＣＰＵ、遊技プログラムを記憶したＲＯＭ、遊技の進行に応じた必要なデータを記憶するＲＷＭ（ＲＡＭ）、各種電気機器との連絡をとるポート、各種抽選の際に用いられる乱数発生器、時間計数や同期を図る場合などに使用されるクロックパルス発生回路等を備えている。
【００２１】
前面扉５は、図１に示すように全体がパチンコ遊技機の上半分程度の大きさでほぼ方形状に形成され、遊技盤４の前面に位置して遊技領域４ａが視認できる開口窓部６５を有している。前面扉５は、図３に示すように遊技者に視認される飾り枠となる表枠体６６と、装飾部材としての図柄意匠を描いた意匠シート６７と、第一透明板６８を備えた裏枠体６９とで大略構成されている。なお、装飾部材はシート状に限定されるものではなく、キャラクター等を立体に形成したものであっても照明手段であってもよい。また、キャラクター等を電気的に可動するように設けて演出制御基板７６により動きを制御するようにしてもよい。
【００２２】
表枠体６６は、透光性を有する合成樹脂材（ポリカーボネートやアクリル，ポリエチレン等）により方形状に形成され、図３に示すように飾り枠６６ａのほぼ中央に所定の奥行きを有する短筒状に形成される開口窓部６５を形成すると共に開口窓部６５の上部に膨出部６６ｃが形成されている。また、開口窓部６５の上下両側には円形の開口７０を開設し、下方の開口７０から遊技盤４に設けられる証紙及び意匠シート６７に設けられた文字情報等を符号化した情報付与手段としての光学的情報コードが視認できる。光学的情報コードとは、例えば明（白）又は暗（黒）のセルにて構成されるＱＲコード（登録商標）等の縦、横二方向に情報を持つ二次元コードであり、携帯電話等の読取り機能を備えた端末機によって光学的情報コードを読み取り各種情報を確認することができる。
【００２３】
裏枠体６９は、ポリカーボネートやアクリル，ポリエチレン等の透明な合成樹脂材で形成され、図３に示すように表枠体６６より一回り小さい方形状の板部６９ａに開口窓６５より開口が大径であり所定の奥行きを有する方形箱枠６９ｂを形成すると共に、遊技盤４との間に遊技領域４ａを形成する第一透明板６８を一体に設けている。なお、第一透明板６８の遊技盤４側面にシリコン樹脂等のコーティングにより耐磨耗処理を施している。箱枠６９ｂ内には、図４に示すように奥部に位置する第一透明板６８から所定間隔を隔てて第二透明板７１の位置決め手段となる段部７２が形成され、ガラス等の透視性を有する方形状の第二透明板７１が配設される。また、裏枠体６９には、表枠体６６の膨出部６６ｃに臨む照明表示装置としてＬＥＤランプ７３が設けられると共に上部開口７０に臨んで効果音等を発生させるスピーカ７４が設けられている。スピーカ７４及びＬＥＤランプ７３等の電気機器は音声・ランプ制御基板５０によって制御され、スピーカ７４により遊技動作に応じた効果音を発生したり、遊技機を電気的に装飾するＬＥＤランプ７３が遊技状態の変化に応じて点滅し遊技機の装飾性を高めると共に、そのランプ７３の表示状態に応じて遊技者にゲームの進行状態を知らせたりするようになっている。音声ランプ制御基板５０は、主制御基板７５からの指令に従い音声やランプ表示の制御を司るＣＰＵや、その他ＲＯＭ、ＲＷＭ（ＲＡＭ）、各種ポート等を備えている。なお、実施例において音声・ランプ制御基板５０を１枚の基板としたが、音声及びランプの制御基板をそれぞれ別個に設けるようにしてもよい。
【００２４】
また、裏枠体６９に前面扉５を閉鎖した際に外部からの異物の侵入を防止する不正防止機能を果たす不正防止手段を設けている。具体的には図３及び図４に示すように、裏枠体６９と一体に成形した第一透明板６８に不正防止手段として所定の高さを有する突条のリブ壁７７が遊技領域４ａを囲繞するように周設されている。このリブ壁７７は前面扉５を閉鎖した際に先端が中枠２側の遊技盤４に近接すると共にガイドレール２０に重なるように近接して、リブ壁７７とガイドレール２０間にピアノ線等の不正具が入る隙間がなく、遊技領域４ａを閉塞状態として外部から異物が進入することはない。このように第一透明板６８を裏枠体６９と一体に成形すると共に遊技領域４ａを囲い込むようにリブ壁７７を設けることにより、従来のようにガラス板と前面扉の隙間からピアノ線等の不正具を遊技領域４ａ内へ進入させて行われていた不正行為を確実に防止することができる。また、第一透明板６８に突条のリブ壁７７を設けることにより、第一透明板６８の撓みを防止することもでき、撓みによる遊技領域４ａの視認性，遊技球の流下等の不具合を防止することができる。
【００２５】
上記構成の前面扉５は、飾り枠６６ａの裏面に意匠シート６７を配設すると共に裏枠体６９の位置決め段部７２に第二透明板７１を位置させ、表枠体６６と裏枠体６９とで挟持して、ビス等の取付け具又は係止爪等の係止手段を係合させることにより組立てられる。このとき、裏枠体６９の裏面に不正防止及び補強を兼ねた薄い鉄板を配設するようにしてもよい。なお、第二透明板７１の装着手段は、表枠体６６と裏枠体６９の挟着に限定されるものではなく、裏枠体６９又は表枠体６６に上又は左右方向の差込溝を形成して第二透明板７１を差込溝に装着するようにしてもよい。意匠シート６７（装飾部材）を着脱自在に設けることで、前面扉５のデザイン替えを簡単に行うことができる。
【００２６】
中枠２の一側上下には外枠１に蝶着されるヒンジ機構３の可動ヒンジ部材３ａ，３ａが設けられている。そして、中枠２には遊技盤４を装着する遊技盤支持枠１１が形成されると共にその一側に先端が鈎状に形成された施錠フック６ａを備えた施錠機構６が設けられ、中枠２の裏面下方には供給及び排出される遊技球が流下する樋基板１３が設けられている。樋基板１３には入賞した遊技球を集める集合樋１４及び遊技盤４に打ち込まれた遊技球を回収する回収樋１５が設けられると共に、後述する球払出装置１２から払出された遊技球を上受皿７に導く誘導樋１６が設けられている。誘導樋１６の側壁には遊技球を受け入れる球入口１７が形成され、上受皿７からの溢れ球を下受皿９に導く溢出樋１８が設けられると共に図７に示すように球入口１７近傍に貯留した遊技球の有無を検知するセンサ１９が設けられている。
【００２７】
前記外枠１は、図２及び図５に示すように所定の厚みを有する上下枠体２６，２７と左右側枠体２８，２９を個々独立に成形して構成され、左右側枠体２８，２９の下部の前面に飾り板３０が装着される。
【００２８】
上枠体２６は、図５及び図６に示すように金属のベース板２６ａを外方に屈曲して所定の深さ及び幅を有する遊技球の収容空間部として貯留部３１が上面開放の箱型に形成され、その両側に左右側枠体２８，２９の上部を跨ぐ鉤状の支持片３２が設けられている。貯留部３１の底部は左側枠体２８に向かって緩やかに傾斜しており、下流側に球崩し部３３により貯留部３１の遊技球を一列に整流させる整流路３４が設けられ、整流端に球流出口３５が開設されている。上枠体２６にはホールにパチンコ遊技機を設置するための打釘可能な設置用固定部３６が設けられており、球崩し部３３も設置用固定部３６の一部をなしている。また、上枠体２６の後側面に貯留部３１に連通する供給口３７が設けられ、供給口３７に図示しない遊技球の補給経路から蛇腹等のフレキシブルな補給管Ｈが接続され、遊技球が貯留部３１に補給され整流路３４に導かれる。さらに供給口３７と対向する貯留部３１の内側に供給口３７から流入する遊技球を下流側に誘導する弧状の誘導壁３６ａが設けられ、底壁に球切れ検知板６０が揺動自在に設けられている。なお、上枠体２６を金属板により形成するようにしたが、主原料として木の廃材及び木質系材料をチップ状に砕き、合成樹脂・接着剤等と混練して所定の厚みに固めて形成してもよく、打釘可能な設置用固定部３６を一体に設けることができる。このとき、貯留部３１の内面に静電気除去及び磨耗防止のために薄い金属板等を貼設するのが好ましい。また、貯留部３１の開放部は蓋部材等で閉塞するようにしてもよい。
【００２９】
左右側枠体２８，２９及び下枠体２７は金属のベース板２７ａ〜２９ａを内方にコ字型に屈曲して所定の厚みを有する収容空間部３８が形成されている。右側枠体２９には施錠機構６の上下フック６ａ，６ａが係止する係止部３９，３９が切り起しにより一体に形成され、左側枠体２８にはヒンジ機構３の固定ヒンジ部材３ｂ，３ｂが一体に設けられている。また、左側枠体２８の収容空間部３８に貸球又は賞球として所定数の遊技球を払出す払出手段として球払出装置１２を設けると共に、上枠体２６の球流出口３５と位置整合して貯留部３１からの遊技球を導入する導入口３９が開設された供給通路樋４０及び球払出装置１２から払出された遊技球を中枠２の上受皿７に導く導出口４１が開設された排出通路樋４２とを設けている。導入口３９は球流出口３５より拡径して形成され、中枠２のひずみ又は成形等により導入口３９と球流出口３５との位置関係にズレが生じても球止まりが発生しないようにしている。球払出装置１２は制御の中枢をなすＣＰＵや、その他ＲＯＭ、ＲＷＭ（ＲＡＭ）、各種ポート等が実装された払出制御基板４８により賞球・貸球等の遊技球の払出しが制御され、払出制御基板４８は主制御基板７５からの制御信号（払出制御用のコマンド信号）に基づいて制御される。球払出装置１２を側枠体２８に設けることにより、中枠２を開放するだけで球払出装置１２内の球詰まり等のトラブルに即応できると共に、球払出装置１２の交換も容易に行うことができる。
【００３０】
球払出装置１２は、図８に示すように供給通路４０ａの最先の遊技球を制御する払出制御体４３と払出制御体４３を電気的に制御する電気的駆動源４４とで大略構成され、払出された遊技球を検知してカウントする検知手段としてのセンサ４５をケース体４６に備えている。また、供給通路４０ａ及び排出通路４２ａは外枠１の外側面に平行なベース板２８ａに沿って蛇行して設けられ、払出制御体４３も同様にベース板２８ａに沿って可動するように設けられているため、薄型の枠体内で払出処理が確実に行われる。この実施例において払出制御体４３は円盤状の樹脂板の周囲に遊技球の球受部４３ａを複数設けたスプロケットタイプの回転体であり、電気的駆動源としての電磁石４４の消励磁によりストッパー４４ａが回転体４３の回転範囲に進退することにより回転を制御している。つまり、払出制御基板４８からの払出信号により電磁石４４が励磁して図８鎖線に示すようにストッパー４４ａが回転体４３の回転範囲から後退して回転体４３がフリーとなり球荷重により回転して遊技球を排出通路４２ａに払出す。そして、センサ４５により所定個数の遊技球が計数されると電磁石４４が消磁して同図実線に示すようにストッパー４４ａが回転体４３の回転範囲に入り込み、球受部４３ａに係止して回転体４３を停止させる。なお、直接ストッパー４４ａで回転体４３を停止させることなく、回転体４３と同期して回転する制動体を一体又は別体に設けて該制動体をストッパー４４ａで制御することにより、回転体４３を破損することなく正確に回転体４３を停止させるようにしてもよい。また、球払出装置１２はこの実施例に限定されるものではなく、例えば電気的駆動源を薄型モータ，ソレノイド等としたり、払出制御体を揺動又はスライド自在に設けたりして遊技球の払出しを制御するようにしたものであってもよい。また、貯留部３１から複数条（例えば２条）で遊技球を供給するようにした場合には、供給通路４０ａに２条の球通路を１条に整流する整流装置を設けて球払出装置１２に１条で供給するようにすればよい。さらに球払出装置１２に供給通路樋４０及び排出通路樋４２を備えて、ケース体４６自体により側枠体を構成するようにしてもよい。
【００３１】
また、中枠２との連通部である導出口４１近傍には中枠２を開放した際の球零れを防止する球零れ防止手段を設けている。本実施例において球零れ防止手段は、図７に示すように排出通路４２ａの終端底壁に可動部材４５を導出口４１側が揺動するように揺動軸４６に軸支して、付勢部材としてのねじりコイルばね４７を揺動軸４６に巻装して導出口４１と逆方向に下傾するように付勢している。可動部材４５は、排出通路４２ａの底壁となる板状部４５ａと中枠２（誘導樋１６）との接触により板状部４５ａを導出口４１に向かって下傾させるガイド部４５ｂとを有して略く字状に形成されている。そして、中枠２が閉鎖した状態では図７に示すようにガイド部４５ｂが誘導樋１６に接触して押されることにより可動部材４５が下向き回動し、球払出装置１２から払出された遊技球が誘導樋１６を介して上受皿７に導かれる。また、中枠２を開放すると同図鎖線に示すように誘導樋１６が導出口４１から離間し、ガイド部４５ｂが中枠２（誘導樋１６）との接触から解放され、コイルばね４７の付勢により可動部材４５の導出口４１側が上動するため、連通部に遊技球が在っても導出口４１から球零れを起こすことはない。このとき、誘導樋１６側の遊技球は誘導樋１６の底壁が受皿側に傾斜しているため球入口１７から零れ落ちることはなく、確実に上受皿７に導かれる。このように、中枠２を開放して誘導樋１６が導出口４１から離間しても可動部材４５により球零れを防止することができ、遊技者が無用な損害を被ることはない。なお、可動部材４５は導出口４１を直接閉塞する閉止部を備えるようにしてもよく、このとき可動部材４５は揺動式に限定されるものではなくスライド又回動式であってもよい。さらに、可動部材４５の軸支方向（移動方向）も限定されるものではない。また、可動部材４５を自重で下動するように設けた場合には必ずしも付勢部材を必要とすることはなく、中枠２（誘導樋１６）との接触により可動部材４５の荷重に抗して可動部材４５を上動させるようにすればよい。
【００３２】
また、下枠体２７及び左右側枠体２８，２９の収容空間部３８には各種電気基板が収容され、金属の基板ベース２７ａ〜２９ａを収容空間部３８内に突出するように切り起こした位置決め片５５を仕切部材として収納室３８ａが区画形成されている。実施例において、左側枠体２８の下方に払出制御基板４８及び発射制御基板４９が収納され、右側枠体２９には音声・ランプ制御基板５０及び音声・ランプドライブ基板５１が収納され、下枠体２７には各種制御基板４８（４９〜５１）等で要する所定の電源電圧が生成され出力される電源基板５２が収納されている。各電気基板４８（４９〜５２）は図９に示すように基板ボックスＢに収納され、基板ボックスＢは基板を支持する金属製の主体５３と、基板の各電子部品実装面を被覆するカバー体５４とから構成され、主体５３の底面には、基板を止着するための取付ボスが突出形成されている。基板ボックスＢは、主体５３の一側に形成された係止片５３ａを基板ベース２７ａ〜２９ａの係合孔９５に係止すると共に他側に形成された基板ボックスＢの取付片５４ａ及び位置決め片５５を屈曲して形成した取着片５５ａに係止具５６を係合させることにより枠体２７〜２９に取付けられる。このとき、各電気基板４８（４９〜５２）に設けられる配線の接続部となるコネクタ部をケースから突出させ、外枠１に対して中枠２を開放した状態においてコネクタ部が視認可能とするのが好ましい。なお、基板ボックスＢは、ビス着等他の取付手段により取付けるようにしてもよい。また、右側枠体２９に収納された電気基板の配線は、下枠体２７（飾り板３０）に沿って配設される補強用の中空状横桟５７内に収納されて、ヒンジ機構３側の左側枠体２８で中枠２側の配線と接続され、中枠２を支障なく開閉することができる。また、配線の接続箇所をヒンジ機構３側にまとめることで配線の作業性を向上させることができる。
【００３３】
また、右側枠体２９の前面内側に中枠２の開放を検知する検知装置６１が設けられており、検知装置６１の検知により中枠２の開放をランプ表示等により報知すると共に球払出装置１２の払出動作を停止させる。検知装置６１は中枠２からの押圧状態を検知することで外枠１と中枠２との閉鎖状態を検知する一方、中枠２からの押圧の解除状態を検知することで外枠１と中枠２との開放状態を検知する検知センサを備えている。検知センサは光学式であってもマイクロスイッチ，リードスイッチであってもよい。中枠２の開放側である右側枠体２９の幅員内に中枠２の開放を検知する検知装置６１を設けることにより、中枠２を開放して行う不正に対して僅かな開放動作もすぐに反応し検知することができ、不正行為を未然に防止することができる。
【００３４】
上記のように構成された外枠１は、上下左右側枠体２６〜２９をビス，連結具等により方形枠状に組立てられる。この実施例においてパチンコ遊技機は、制御基板等の電気基板を外枠１を構成する枠体内に収納することにより、基板を保護することができると共に遊技盤４の裏面に嵩張るものがなくなり広いスペースを確保することができ、可変表示装置２１等の中央役物を拡大させることが可能となる。また、遊技球の貯留部３１を上枠体２７に形成することにより、遊技盤４の裏面上方に邪魔となるものがなくなり中央役物を上方向に拡大することができる。さらに、側枠体２８，２９に供給通路樋４０及び球払出装置１２等を設けることにより、遊技盤４の横方向にもスペースを広く確保することができると共にパチンコ遊技機に貯留される遊技球がすべて外枠１に貯留されるため、中枠２に荷重がかかることがなくヒンジ機構３への負荷も軽減される。さらに、枠体内に再利用可能な制御基板等を収納することで、中枠２又は遊技盤４に設けられた最小限のものを交換するだけで、機種変更をすることが可能となる。また、外枠１を予めホールの島に設備の一部として設置することもできるという副次的な効果を奏する。このとき、ヒンジ機構３及び施錠機構６を標準化することで、中枠２を交換するだけでデザイン変えした機種変更ができるため優れた経済効果を発揮する。
【００３５】
また、実施例のように枠体２６〜２９を金属のベース板２６ａ〜２９ａにより形成することで、静電気をアースして除去することができるため、電気基板にとって最も重要な静電気のノイズ問題を解決することができる。特に、ノイズ生起部材や発熱部材が実装されている電源基板５２を主制御基板７５と離した下枠体２７に設けているため、ノイズや熱の発生がＣＰＵ等に悪影響を及ぼすことを回避することができる。
【００３６】
なお、実施例において、外枠１の上枠体２６に収容空間部を形成して遊技球の貯留部３１としたが、貯留部３１を有する球タンクを別途上枠体２６に取着してその流出口と側枠体の導入口３９を連通させ、側枠体に設けた球払出装置１２に遊技球を供給するようにしてもよい。また、球払出装置１２を備えた側枠体の導入口３９に補給経路からの補給管Ｈを接続して、補給樋から払出手段に直接遊技球を供給するようにしてもよい。そして、上枠体２６に電気基板を収納する収容空間部３８を形成し、収容空間部３８にホール側の配線端子を接続する外部端子基板，電源端子基板７８等を収納するのが好ましい。例えば電源端子基板７８には、図１０に示すように電源スイッチ７９及びコードリールＣに巻装した電源コード８０が設けられ、電源スイッチ７９及び電源コード８０のプラグＰは上枠体２６の後面に形成した凹部８１に開設した開口部８２から臨ませて外枠１の外郭から外に張り出さないように凹部８１内に位置させている。外部端子基板，電源端子基板７８を上枠体２６内に設けた場合には、基板を保護した状態でしかも配線作業が行い易い位置に取付けることができる。また、コードリールＣを内装することで電源コード８０を枠体２６内に収納でき、搬送時に電源コード８０が露出することがないため断線したりする事故を引起すことがない。
【００３７】
また、図１１に示すように枠体２７〜２９を基板ボックスＢの主体５３として、枠体２７〜２９に各電気基板４８（４９〜５２）を直接取付けて、基板を視認可能に構成したカバー体５４で覆い封止することで枠体２７〜２９自体を基板ボックスとしてもよい。さらに、図１２は側枠体全体に電気基板の収容空間部３８を形成した実施例を示し、右側枠体２９を実施例として前記実施例と同じ構成には同一符号を付して説明する。右側枠体２９は本体枠２９ｂを合成樹脂により一側が開放した箱枠状に形成して収容空間部３８を形成すると共に、収容空間部３８に仕切部材として区画壁８３を一体に設けて電気基板を個々に収納する収納室３８ａを複数（実施例では４個）形成している。そして、収納室３８ａに基板を位置決めする段部８４を形成すると共に区画壁８３に隣設する収納室３８ａと連通する通気孔８５が区画壁８３を切欠きして形成され、収納室３８ａの空気の循環効率をよくして基板に実装される電子部品を冷却するようにしている。カバー体８６は、透光性を有する合成樹脂材（ポリカーボネートやアクリル，ポリエチレン等）により形成して、カバー体８６の裏面には各基板と電気的に接続する配線コネクタ８７及び他の基板に接続する中継端子が設けられると共に各基板間を電気的に接続する回路手段としてプリント配線９７が施され、さらに基板に当接してがたつきを防止する突起８８を設けている。なお、側枠体にモータにより回転するファン等の冷却手段を設けるようにしてもよく、収納室３８ａの空気を強制的に循環させて放熱し冷却効果を高めることができる。
【００３８】
このように構成された側枠体２９は、各基板を実装面が開放側となるように段部８４に当接させて各収納室３８ａに収納し、カバー体８６を突起８８が基板に当接すると共に配線コネクタ８７が基板の接続コネクタ８９に接続するように被覆させ、ビス着等の封止手段によりカバー体８６を封止することで、各基板ががたつくことなく電気的に通電可能になると共に基板の実装面が視認可能な状態に側枠体２９が組立てられる。カバー体８６を基板が視認可能な透光性を有する合成樹脂材により形成することで、中枠２の開放時に外枠１に設けられた基板の実装面すべてが視認可能となり、基板に対する不正改造が容易に発見できると共に基板に対する不正防止と保守点検作業の容易化を図ることができる。また、収納室３８ａを形成する区画壁８３は側枠体２９の補強も兼ね備えている。
【００３９】
このように、右側枠体２９全体に基板の収容空間部３８を形成した場合には、中枠２を係止する施錠機構６を電磁ロック式として、外枠１の内面にソレノイドを設けると共に中枠２に係合部を設け、ソレノイドの駆動によって可動する係止部が係合部に係止し、中枠２の背面側をロックして中枠２の開放を阻止するようにすればよい。施錠手段を電磁ロック式とすることで複雑な施錠装置が不要となり、その分スペースを有効に使うことができる。
【００４０】
なお、枠体２７〜２９の材質は限定されるものではなく、金属製とした場合には収納室３８ａを区画形成する仕切部材をカバー体８６に設けるようにしてもよい。また、側枠体２９の本体枠２９ｂを合成樹脂で成形しても、釘打が可能なように主原料として木の廃材及び木質系材料をチップ状に砕いて合成樹脂，接着剤等で混練して所定の厚みに固めて形成してもよい。なお、収納室３８ａは必ずしも方形状である必要はなく、区画壁８３を斜め状に設けて枠体の強度を高めるようにしてもよく、それにともない基板を台形，三角形等に変形すればよい。また、電気基板は実施例に限定されるものではなく、主制御基板７５及び演出制御基板７６であっても遊技球等貸出装置接続端子板などの中継基板を収容部３８ａに収納するようにしてもよい。また、収納室３８ａを形成する区画壁８３を着脱自在に設けると共に収容空間部３８に区画壁８３を取付ける取付溝を所定の間隔をもって複数設けて、区画壁８３を任意の位置に取付けるようにしてもよく、電気基板の大きさに応じて収納室３８ａの大きさ及び数を変更することができる。
【００４１】
図１３はさらに側枠体の他の実施例を示し、側枠体２９は一側面（後面）が開口した本体枠２９ｂと開口部を閉塞するカバー体８６とで構成され、カバー体８６はヒンジにより本体枠２９ｂの開口部一側に開閉自在に設けられている。本体枠２９ｂには、収納室３８ａを区画形成する区画壁８３が設けられると共に基板を取着するレール状のガイド溝９０が設けられている。そして、外枠１の内側面に相当する本体枠２９ｂの一側壁面に窓部９１を形成すると共に窓部９１に透明板９２を設けて収納室３８ａの基板を視認し得るようにしている。また、開口部と反対の内面には電気基板を電気的に接続する配線コネクタ８７が搭載された回路手段としての配線基板が設けられている。一方、基板の一側に接続用端子を並設した端子板９３が形成されている。このように構成した側枠体２９は、各基板をガイド溝９０に沿って移動させ各収納室３８ａに押し込むことで位置決め装着されると共に、基板の端子板９３が配線コネクタ８７に嵌りこみ配線基板に接続され、電気基板間を電気的に接続する。そして、カバー体８６の端部をビス，封印具等の封止手段により封止することで側枠体２９が組立てられる。このように、基板をガイド溝９０に沿って移動させるだけで簡単に電気的に接続させることができ、配線作業の簡略化が図られる。
【００４２】
図１４は側枠体の他の実施例を示し、側枠体２９は内側及び後側が開放した本体枠２９ｂと断面Ｌ型のカバー体８６で構成され、本体枠２９ｂには収納室３８ａを区画形成する区画壁８３が設けられると共に基板及びカバー体８６を取着するレール状のガイド溝９０，９４が設けられている。そして、側枠体２９の後面に位置するカバー体８６の内面に、基板の一側に設けられた接続用端子を並設した端子板９３に接続する配線コネクタ８７が設けられると共に、各基板を接続する回路手段として配線がプリントされている。前記構成の側枠体２９は、各基板をガイド溝９０に沿って移動させ各収納室３８ａに位置決め装着し、カバー体８６をガイド溝９４に沿って押し込むことで配線コネクタ８７が各基板の端子板９３と接合される。そして、カバー体８６の端部をビス，封止具等の封止手段により固着することで基板の実装面が視認可能な状態に側枠体２９が確実に組立てられる。このように特別の位置合わせ作業をすることなく、電気基板をガイド溝９０に沿って移動させるという一次元的な移動動作でコネクタの差込接続を行うことができ、作業性が飛躍的に向上する。なお、端子板９３に代えて配線コネクタ８７と接続する端子コネクタを設けても、同様の効果を生起することができる。また、収納室３８ａの大きさは必ずしも同じ大きさに形成することはなく、基板の大きさ・数量により任意に変更すればよい。
【００４３】
なお、遊技機として遊技媒体に遊技球を使用するパチンコ遊技機を実施例に説明したが、パチンコ遊技機以外にもアレンジボール機や雀球等の各種遊技機、さらに遊技球を賭数として遊技する回胴式遊技機にも実施することが可能である。また、遊技媒体にコイン，メダル等を使用して遊技するスロットマシンにも適応できるのはいうまでもない。
【図面の簡単な説明】
【００４４】
【図１】パチンコ遊技機の正面図である。
【図２】パチンコ遊技機の裏面図である。
【図３】前面扉の分解斜視図である。
【図４】前面扉の要部断面図である。
【図５】外枠の分解斜視図である。
【図６】上枠体の平面図である。
【図７】側枠体の要部断面図である。
【図８】球払出装置の断面図である。
【図９】側枠体の要部断面図である。
【図１０】他の実施例を示す上枠体の要部平面図である。
【図１１】他の実施例を示す側枠体の要部断面図である。
【図１２】他の実施例を示す側枠体の分解斜視図である。
【図１３】さらに他の実施例を示す側枠体の分解斜視図である。
【図１４】さらに他の実施例を示す側枠体の分解斜視図である。
【符号の説明】
【００４５】
１                外枠
２                中枠
４                遊技盤
１２              球払出装置（電気機器）
２１              可変表示装置（電気機器）
２６              上枠体
２７              下枠体
２８              左側枠体
２９              右側枠体
３８              収容空間部
３８ａ            収納室
４８              払出制御基板（電気基板）
４９              発射制御基板（電気基板）
５０              音声・ランプ制御基板（電気基板）
５１              音声・ランプドライブ基板（電気基板）
５２              電源基板（電気基板）
５５              位置決め片（仕切部材）
７３              ＬＥＤランプ（電気機器）
７４              スピーカ（電気機器）
８３              区画壁（仕切部材）
８６              カバー体
８７              配線コネクタ
９７              プリント配線（回路手段）
【図１】
2007159953.tif 000003
【図２】
2007159953.tif 000004
【図３】
2007159953.tif 000005
【図４】
2007159953.tif 000006
【図５】
2007159953.tif 000007
【図６】
2007159953.tif 000008
【図７】
2007159953.tif 000009
【図８】
2007159953.tif 000010
【図９】
2007159953.tif 000011
【図１０】
2007159953.tif 000012
【図１１】
2007159953.tif 000013
【図１２】
2007159953.tif 000014
【図１３】
2007159953.tif 000015
【図１４】
2007159953.tif 000016